(57)【要約】【課題】筐体の内部に設けられた発光モジュールが静電気放電により破壊されるのを抑制することができる照明装置を提供することである。【解決手段】実施形態に係る照明装置は、一方の端部側が開口した筐体と；前記筐体の内部に設けられ、発光素子を有する発光モジュールと；前記筐体の開口を覆うアウターカバーと；前記筐体の内部であって、前記発光モジュールと、前記アウターカバーと、の間に設けられたインナーカバーと；を具備している。そして、前記筐体の内部には、締結部材を挿入する孔が露出している。【選択図】図３
2015122156.tif 000002
【特許請求の範囲】
【請求項１】
一方の端部側が開口した筐体と；
前記筐体の内部に設けられ、発光素子を有する発光モジュールと；
前記筐体の開口を覆うアウターカバーと；
前記筐体の内部であって、前記発光モジュールと、前記アウターカバーと、の間に設けられたインナーカバーと；
を具備し、
前記筐体の内部には、締結部材を挿入する孔が露出している照明装置。
【請求項２】
前記インナーカバーは、透光性および導電性を有する請求項１記載の照明装置。
【請求項３】
前記インナーカバーは、光の拡散性を有する請求項１または２に記載の照明装置。
【請求項４】
前記インナーカバーは、第１の部分と、第２の部分と、を有し、
前記第２の部分は、前記第１の部分の光の透過率よりも高い光の透過率を有する請求項１〜３のいずれか１つに記載の照明装置。
【発明の詳細な説明】
【技術分野】
【０００１】
本発明の実施形態は、照明装置に関する。
【背景技術】
【０００２】
筐体と、筐体の内部に設けられ、発光ダイオード（Light Emitting Diode：ＬＥＤ）を有する発光モジュールと、筐体の底部に対峙する開口部を覆うカバーとを備えた照明装置がある。  
この様な照明装置は、ネジなどの締結部材を用いて、取付側の壁面などに固定される。  この場合、締結部材が外部から見えると、照明装置の商品性が低下してしまう。  
そのため、筐体の内部に締結部材が設けられるようにして、カバーにより締結部材が隠れるようにしている。  
ところが、カバーにより締結部材が隠れているため、照明装置を取付側の壁面などに固定する際には、カバーを外した状態で締結作業を行う必要がある。  
そのため、筐体の内部に露出した発光モジュールが静電気放電により破壊されるおそれがある。
【先行技術文献】
【特許文献】
【０００３】
【特許文献１】特開２００４−３２２８５８号公報
【発明の概要】
【発明が解決しようとする課題】
【０００４】
本発明が解決しようとする課題は、筐体の内部に設けられた発光モジュールが静電気放電により破壊されるのを抑制することができる照明装置を提供することである。
【課題を解決するための手段】
【０００５】
実施形態に係る照明装置は、一方の端部側が開口した筐体と；前記筐体の内部に設けられ、発光素子を有する発光モジュールと；前記筐体の開口を覆うアウターカバーと；前記筐体の内部であって、前記発光モジュールと、前記アウターカバーと、の間に設けられたインナーカバーと；を具備している。そして、前記筐体の内部には、締結部材を挿入する孔が露出している。
【発明の効果】
【０００６】
本発明の実施形態によれば、筐体の内部に設けられた発光モジュールが静電気放電により破壊されるのを抑制することができる照明装置を提供することができる。
【図面の簡単な説明】
【０００７】
【図１】本実施の形態に係る照明装置１を例示するための模式平面図である。
【図２】本実施の形態に係る照明装置１を例示するための模式側面図である。
【図３】本実施の形態に係る照明装置１を例示するための模式断面図である。
【図４】（ａ）は、光の透過率が異なる部分を有するインナーカバー５の模式断面図である。（ｂ）は、（ａ）におけるＣ−Ｃ線矢視図である。
【発明を実施するための形態】
【０００８】
実施形態に係る発明は、一方の端部側が開口した筐体と；前記筐体の内部に設けられ、発光素子を有する発光モジュールと；前記筐体の開口を覆うアウターカバーと；前記筐体の内部であって、前記発光モジュールと、前記アウターカバーと、の間に設けられたインナーカバーと；を具備した照明装置である。そして、前記筐体の内部には、締結部材を挿入する孔が露出している。  
この照明装置によれば、照明装置を取付側の壁面などに固定する際に、筐体の内部に設けられた発光モジュールが静電気放電により破壊されるのを抑制することができる。
【０００９】
この場合、前記インナーカバーは、透光性および導電性を有するものとすることができる。  
この様にすれば、発光モジュールから出射した光をアウターカバー側に透過させることができるとともに、放電された静電気を逃がすことができる。
【００１０】
また、前記インナーカバーは、光の拡散性を有するものとすることができる。  
この様にすれば、グレアを抑制することができる。
【００１１】
また、前記インナーカバーは、第１の部分と、第２の部分と、を有するものとすることができる。そして、前記第２の部分は、前記第１の部分の光の透過率よりも高い光の透過率を有するものとすることができる。  
この様にすれば、きらめき感による演出性の向上を図ることができる。
【００１２】
以下、図面を参照しつつ、実施の形態について例示をする。なお、各図面中、同様の構成要素には同一の符号を付して詳細な説明は適宜省略する。  
また、以下においては、本実施の形態に係る照明装置１が、自動車などに設けられる室内灯である場合を例示するが、照明装置１の用途はこれに限定されるわけではない。
本実施の形態に係る照明装置１は、例えば、鉄道用車輌、航空機、船舶などの移動体に設けられる室内灯や、家屋などに設けられる室内灯などにも適用することができる。
【００１３】
図１は、本実施の形態に係る照明装置１を例示するための模式平面図である。  
図２は、本実施の形態に係る照明装置１を例示するための模式側面図である。  
なお、図２は、図１におけるＡ−Ａ線矢視図である。  
図３は、本実施の形態に係る照明装置１を例示するための模式断面図である。  
なお、図３は、図１におけるＢ−Ｂ線断面図である。
【００１４】
図１〜図３に示すように、照明装置１には、筐体２、発光モジュール３、アウターカバー４、およびインナーカバー５が設けられている。  
筐体２は、一方の端部側（正面側）が開口している。筐体２の外観は、階段状を呈している。照明装置１の中心軸１ａに直交する方向における筐体２の断面積は、照明装置１の正面側になるに従い段階的に大きくなっている。
【００１５】
階段状の筐体２の最も背面側の部分が底部２ａとなっている。  
筐体２の内部であって、底部２ａの底面には発光モジュール３が設けられている。
階段状の筐体２の最も正面側の部分がフランジ部２ｃとなっている。  
フランジ部２ｃの正面側、すなわち、筐体２の正面側は、開口している。  
階段状の筐体２の底部２ａとフランジ部２ｃとの間の部分が取付部２ｂとなっている。  取付部２ｂには、ネジなどの締結部材２０を挿入する孔２ｂ１が設けられている。
照明装置１は、孔２ｂ１に挿入された締結部材２０により、取付側の壁面などに固定される。
【００１６】
締結部材２０を挿入する孔２ｂ１は、筐体２の内部に露出している。  
例えば、孔２ｂ１は、後述するインナーカバー５が設けられる領域の外側に設けられている。  
そのため、アウターカバー４を取り外した際には、筐体２の内部に孔２ｂ１を露出させることができる。  
また、図３に示すように、アウターカバー４が底部２ａに設けられ、締結部材２０を挿入する孔２ｂ１が筐体２の開口側に近い取付部２ｂに設けられている。  
そのため、締結部材２０を用いて筐体２を取付側の壁面などに固定する際の作業性を向上させることができる。
【００１７】
底部２ａ、取付部２ｂ、およびフランジ部２ｃは、一体的に成形することができる。
また、底部２ａ、取付部２ｂ、およびフランジ部２ｃを別々に形成し、それらを接合してもよい。  
筐体２の材料には特に限定がない。筐体２は、例えば、樹脂材料や金属材料などを用いて形成することができる。  
この場合、底部２ａ、取付部２ｂ、およびフランジ部２ｃの材料をそれぞれ異なるものとすることもできる。  
また、インサート成形法などを用いて、所定の部分に金属材料からなる部材を埋め込むこともできる。例えば、孔２ｂ１の部分に金属材料からなる座金を埋め込んだり、筐体２の任意の位置に接地用のグランド端子を埋め込んだりすることができる。
【００１８】
また、筐体２の外観が３段の階段状の場合を例示したがこれに限定されるわけではない。
例えば、筐体２の外観は、箱状（底部２ａのみが設けられる場合）とすることもできるし、２段の階段状または４段以上の階段状とすることもできる。  
ただし、照明装置１の中心軸１ａに直交する方向における筐体２の断面積が、照明装置１の正面側になるに従い段階的に大きくなるようにすれば、筐体２の側面で反射した光が照明装置１の正面側に出射しやすくなる。すなわち、照明装置１における光の取り出し効率を向上させることができる。
【００１９】
発光モジュール３には、基板３ａ、および発光素子３ｂが設けられている。  
基板３ａは、板状を呈し、表面に図示しない配線パターンが設けられている。  
基板３ａの材料や構造には特に限定はない。例えば、基板３ａは、酸化アルミニウムや窒化アルミニウムなどの無機材料（セラミックス）、紙フェノールやガラスエポキシなどの有機材料などから形成することができる。また、基板３ａは、金属板の表面を絶縁体で被覆したものであってもよい。なお、金属板の表面を絶縁体で被覆する場合には、絶縁体は、有機材料からなるものであってもよいし、無機材料からなるものであってもよい。
【００２０】
この場合、発光素子３ｂの発熱量が多い場合には、放熱の観点から熱伝導率の高い材料を用いて基板３ａを形成することが好ましい。熱伝導率の高い材料としては、例えば、酸化アルミニウムや窒化アルミニウムなどのセラミックス、高熱伝導性樹脂、金属板の表面を絶縁体で被覆したものなどを例示することができる。  
高熱伝導性樹脂は、例えば、ＰＥＴ（Polyethylene terephthalate）やナイロン等の樹脂に、熱伝導率の高い炭素や酸化アルミニウム等からなる繊維や粒子を混合させたものである。  
また、基板３ａは、単層であってもよいし、多層であってもよい。
【００２１】
発光素子３ｂは、基板３ａの表面に複数設けられている。  
発光素子３ｂは、例えば、発光ダイオード、有機発光ダイオード、レーザダイオードなどとすることができる。  
また、発光素子３ｂは、外囲器の内部に設けられ、リードを介して基板３ａの配線パターンと電気的に接続される表面実装型の構成を有するものとすることができる。  
また、発光素子３ｂは、基板３ａに接合され、ボンディングワイヤを介して基板３ａの配線パターンと電気的に接続されるＣＯＢ（Chip On Board）の構成を有するものとすることもできる。
【００２２】
また、発光素子３ｂを覆う図示しない封止部を設けることができる。そして、図示しない封止部には、蛍光体を含めることができる。蛍光体は、例えば、ＹＡＧ系蛍光体（イットリウム・アルミニウム・ガーネット系蛍光体）とすることができる。  
例えば、発光素子３ｂが青色発光ダイオード、蛍光体がＹＡＧ系蛍光体である場合には、発光素子３ｂから出射した青色の光によりＹＡＧ系蛍光体が励起され、ＹＡＧ系蛍光体から黄色の蛍光が放射される。そして、青色の光と黄色の光が混ざり合うことで、白色の光が照明装置１から出射する。なお、蛍光体の種類や発光素子３ｂの種類は例示をしたものに限定されるわけではなく、照明装置１の用途などに応じて所望の発光色が得られるように適宜変更することができる。
【００２３】
発光素子３ｂの光の出射面である上面は、照明装置１の正面側、すなわち、アウターカバー４側に向けられている。  
複数の発光素子３ｂの配設形態には特に限定はない。  
複数の発光素子３ｂの配設形態は、例えば、マトリクス状や同心円状などの規則的な配設形態とすることもできるし、所定の領域に偏在させるなどの任意の配設形態とすることもできる。  
この場合、複数の発光素子３ｂの配設形態や数は、アウターカバー４の大きさや照明装置１の厚み寸法、必要となる明るさなどに基づいて適宜変更することができる。
【００２４】
また、発光モジュール３には、給電要素、制御素子、スイッチ素子、および保護素子などの回路部品を必要に応じて設けることができる。  
給電要素は、例えば、外部から給電するためのコネクタや端子などとすることができる。
制御素子は、例えば、発光素子３ｂの点灯状態を制御するものとすることができる。
スイッチ素子は、例えば、給電状態を切り替えるためのものとすることができる。  
保護素子は、例えば、ダイオードなどの発光素子３ｂを保護するものとすることができる。
【００２５】
アウターカバー４は、板状を呈し、筐体２の開口を覆うように設けられている。  
アウターカバー４は、発光素子３ｂの光の出射側に設けられている。  
アウターカバー４は、入射した光の強度を弱める機能を有するものとすることができる。例えば、アウターカバー４の光の透過率を低くすることができる。アウターカバー４の光の透過率を低くすれば、グレアを抑制することができる。また、アウターカバー４の光の透過率を低くすれば、筐体２の内部に設けられた要素を隠すことができる。
【００２６】
アウターカバー４の光の透過率を低くするために、例えば、アウターカバー４の光の入射面および光の出射面の少なくともいずれかにブラスト加工などの拡散処理を施したり、散乱材料を含む散乱層を設けたりすることができる。  
また、アウターカバー４の光の透過率を低くするために、例えば、アウターカバー４を散乱材を含む透光性材料から形成することもできる。  
この場合、散乱材は、例えば、母材（例えば、透光性を有する樹脂材料）の屈折率と異なる屈折率を有する微粒子などとすることができる。散乱材は、例えば、酸化チタン等からなる微粒子などとすることができる。
【００２７】
なお、平板状のアウターカバー４を例示したが、これに限定されるわけではない。  
アウターカバー４は、例えば、凸状や凹状の曲面形状を有したものとすることもできる。
また、平面形状が矩形のアウターカバー４を例示したが、これに限定されるわけではない。  
アウターカバー４の平面形状は、筐体２の平面形状や照明装置１のデザインなどに応じて適宜変更することができる。
【００２８】
ここで、締結部材２０は、筐体２の内部に設けられている。そのため、締結部材２０は、アウターカバー４により外部から見えないようにすることができる。締結部材２０をアウターカバー４により隠すことができれば、照明装置１の商品性を向上させることができる。
【００２９】
ところが、締結部材２０がアウターカバー４により隠されているため、アウターカバー４が取り付けられた状態では、締結部材２０による締結作業を行うことができない。
そのため、照明装置１を取付側の壁面などに固定する際には、アウターカバー４を取り外し、取付部２ｂの孔２ｂ１が筐体２の内部に露出するようにする。
【００３０】
しかしながら、アウターカバー４が取り外されると、発光素子３ｂや回路部品が設けられた発光モジュール３も露出することになる。  
そのため、作業者や工具などからの静電気放電が発光モジュール３に加えられるおそれがある。静電気放電が発光モジュール３に加えられると、発光素子３ｂや回路部品が破壊されるおそれがある。  
そこで、本実施の形態に係る照明装置１においては、インナーカバー５を設けることで、筐体２の内部に設けられた発光モジュール３が静電気放電により破壊されるのを抑制するようにしている。
【００３１】
インナーカバー５は、筐体２の内部に設けられている。  
インナーカバー５は、発光モジュール３とアウターカバー４との間に設けられ、発光モジュール３を覆っている。  
ただし、筐体２の内部には、締結部材２０を挿入する孔２ｂ１が露出している。
すなわち、インナーカバー５は、締結部材２０を挿入する孔２ｂ１を覆っていない。
例えば、インナーカバー５は、底部２ａに設けられ、孔２ｂ１が設けられた取付部２ｂを覆わないようになっている。  
ただし、インナーカバー５は、必ずしも底部２ａに設ける必要はなく、孔２ｂ１を覆わないように設ければよい。
【００３２】
インナーカバー５は、発光モジュール３と対峙する部分に孔がないものとすることもできるし、発光モジュール３と対峙する部分に複数の孔が設けられたものとすることもできる。  
ただし、インナーカバー５の発光モジュール３と対峙する部分に孔が設けられていると、孔に工具などが挿入されてしまうおそれがある。  
そのため、インナーカバー５の発光モジュール３と対峙する部分には、孔を設けないようにすることが好ましい。
【００３３】
インナーカバー５の材料は、透光性を有するものであれば特に限定はない。  
インナーカバー５の材料は、例えば、ポリエチレン、ポリエチレンテフタレート、アクリルなどの透明樹脂などとすることができる。
【００３４】
また、インナーカバー５は、導電性を有するものとすることができる。  
インナーカバー５は、例えば、帯電防止処理が施されたものとすることができる。
例えば、インナーカバー５の表面に帯電防止剤などを塗布して導電性を有する膜を形成することができる。  
また、帯電防止剤などが添加された樹脂材料を用いてインナーカバー５を形成することもできる。  
インナーカバー５に帯電防止処理を施す場合には、筐体２に設けられたグランド端子とインナーカバー５とを電気的に接続する配線２１を設けることができる。  
この場合、図３に示すように、配線２１の一端を締結部材２０に接触させ、締結部材２０を介してインナーカバー５が接地されるようにすることもできる。
【００３５】
また、インナーカバー５の光の透過率を低くすることができる。インナーカバー５の光の透過率を低くすれば、グレアを抑制することができる。また、インナーカバー５の光の透過率を低くすれば、発光素子３ｂの直上部分が明るくなりすぎることを抑制することができる。  
インナーカバー５の光の透過率を低くするために、例えば、インナーカバー５の光の入射面および光の出射面の少なくともいずれかにブラスト加工などの拡散処理を施したり、散乱材料を含む散乱層を設けたりすることができる。  
また、インナーカバー５を散乱材を含む透光性材料から形成することもできる。  
この場合、散乱材は、例えば、母材（例えば、透光性を有する樹脂材料）の屈折率と異なる屈折率を有する微粒子などとすることができる。散乱材は、例えば、酸化チタン等からなる微粒子などとすることができる。  
なお、インナーカバー５およびアウターカバー４に光の拡散性を持たせることもできるし、いずれか一方に光の拡散性を持たせることもできる。
【００３６】
また、インナーカバー５に光の透過率が異なる部分を設けることができる。  
図４（ａ）、（ｂ）は、光の透過率が異なる部分を有するインナーカバー５を例示するための模式図である。  
図４（ａ）は、インナーカバー５の模式断面図である。  
図４（ｂ）は、図４（ａ）におけるＣ−Ｃ線矢視図である。  
例えば、図４（ａ）、（ｂ）に示すように、部分５ａ（第１の部分の一例に相当する）と、部分５ｂ（第２の部分の一例に相当する）を設け、部分５ｂは部分５ａの光の透過率よりも高い光の透過率を有するものとすることができる。  
例えば、部分５ａが前述した光の拡散性を有し、部分５ｂが透明となっているような場合を例示することができる。
【００３７】
相対的に高い光の透過率を有する部分５ｂが混在していれば、きらめき感による演出性の向上を図ることができる。  
この場合、部分５ｂの形状、大きさ、配置、および数などは、照明装置１の用途などに応じて適宜変更することができる。  
例えば、部分５ｂの配置は、規則的なものであってもよいし、任意のものであってもよい。  
なお、光の透過率が異なる部分は、アウターカバー４に設けるようにしてもよい。
【００３８】
インナーカバー５は、筐体２の底部２ａに設けることができる。  
この場合、図３に示すように、インナーカバー５は、底部２ａの底面に設けることができる。  
ただし、インナーカバー５の取付位置は、底部２ａの底面に限定されるわけではない。  例えば、インナーカバー５は、底部２ａの側面に設けることができる。例えば、インナーカバー５は、底部２ａにはめ込むようにして設けることもできる。  
また、インナーカバー５は、取付部２ｂやフランジ部２ｃに設けることもできる。
ただし、取付部２ｂやフランジ部２ｃにインナーカバー５を設ける場合には、インナーカバー５に孔や切り欠きなどを設けて、筐体２の内部に孔２ｂ１が露出するようにする。
【００３９】
また、インナーカバー５の固定方法には特に限定はない。  
例えば、インナーカバー５は、ネジなどの締結部材を用いて固定することができる。また、インナーカバー５は、接着剤などを用いて固定することもできる。また、インナーカバー５は、係合爪などを用いて固定することもできる。また、インナーカバー５は、底部２ａなどの凹部に嵌め合わせて固定することもできる。
【００４０】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００４１】
１  照明装置、１ａ  中心軸、２  筐体、２ａ  底部、２ｂ  取付部、２ｂ１  孔、２ｃ  フランジ部、３  発光モジュール、４  アウターカバー、５  インナーカバー、５ａ  部分、５ｂ  部分、２０  締結部材
【図１】
2015122156.tif 000003
【図２】
2015122156.tif 000004
【図３】
2015122156.tif 000005
【図４】
2015122156.tif 000006